(57)【要約】【課題】  作業服の袖を捲ったり、たくし上げたりすることなく、外部から腕時計等を覗いたり視覚的に確認できる構造，形態を備えた防護服を含む作業服を提供する。【解決手段】  上下つなぎタイプ又は上下分離タイプの作業服において、袖口乃至袖口近傍に袖の内部が見える窓状の透光部を設けた。【選択図】図１
0003203586.tif 000002
【実用新案登録請求の範囲】
【請求項１】
上下つなぎタイプ又は上下分離タイプの作業服において、袖口乃至袖口近傍に袖の内部が見える窓状の透光部を設けたことを特徴とする覗き窓付作業服。
【請求項２】
作業服は、少なくとも放射線防護服を含み、且つその作業服が織布又は不織布若しくは柔軟シート地のいずれか、又はこれらを併用した素材により形成した請求項１に記載の覗き窓付作業服。
【請求項３】
フードを備えた請求項２に記載の覗き窓付作業服。
【請求項４】
窓状の透光部は、上記作業服の上衣において少なくとも片方の袖口乃至袖口近傍、又は両方の袖口乃至袖口近傍に窓穴を設け、該窓穴を透明な柔軟シート材で塞いで覗き窓に形成した請求項１〜３のいずれかに記載の覗き窓付作業服。
【請求項５】
窓状の透光部は、作業服の袖口乃至袖口近傍に加え、又は、袖口乃至袖口近傍とは別に、前記作業服における背中又は腰部の前または後、若しくは下衣（ズボン側）における大股部の前部又は後部、或はフードの側面の部位に設けた請求項４に記載の覗き窓付作業服。
【考案の詳細な説明】
【技術分野】
【０００１】
本考案は各種防護服を含む作業服の袖口を捲り上げずに腕に装着した腕時計等の計器類や検査部材等の表示を袖の外面から覗くための覗き窓を設けた作業服に関する。
【背景技術】
【０００２】
本考案の考案者は、放射線管理区域等において着用される防護服を含む作業服（以下、単に作業服という）において、着用者が身に着けた警報付ポケット線量計（ＡＰＤ）などの装着状態を外部から確認するために、前記作業服の胸部に窓穴を設けて該窓穴に透明フィルムを取付け、このフィルムを透して内部が見えるようにした作業服を提案している。
【０００３】
ところで、上記作業服の着用では、装着した手袋と作業服の袖口の重複した境界部分に粘着テープを巻き付けて被ばく防止を図っているため、着用者が、例えば手首に装着した腕時計を見るには、前記粘着テープを取り外した上でその作業服の袖を捲り上げたり、たくし上げたりしないと、当該腕時計を見ることができない。
【０００４】
しかし、作業中に腕時計を見るために、手袋と袖口の境界部を封止している粘着テープを外して袖を捲り上げたり、たくし上げることは、煩わしいのみならず、被ばく防止のための手袋と袖口境界部の封止を解除することになるため、被ばく防止の観点からも問題である。
この点は、腕装着タイプの腕時計以外の計量器等がある場合、その表示状態等を見るときにおいても同様である。
【考案の概要】
【考案が解決しようとする課題】
【０００５】
そこで本考案は、腕時計を始めとし腕装着タイプの計量器等がある場合に、手袋と袖口境界部を被ばく防止のために封止している粘着テープを取り外した上で、更に作業服の袖を捲ったり、たくし上げたりすることなく、外部から腕時計等を覗いたり視覚的に確認できる構造，形態を備えた防護服を含む作業服を提供することを、課題とする。
【課題を解決するための手段】
【０００６】
上記課題を解決することを目的としてなされた本考案の覗き窓付作業服の構成は、上下つなぎタイプ又は上下分離タイプの作業服において、袖口乃至その近傍に、袖の内部が見える窓状透光部を設けたことを特徴とするものである。
【０００７】
上記構成における作業服は、少なくとも放射線防護服を含み、その作業服は素材を織布又は不織布若しくは柔軟シート地などのいずれか、又はこれらの併用した素材で形成されたものであればよく、しかも、上下つなぎ服タイプ、又は上下分離タイプのいずれであってもよい。また、前記作業服にはフードを上衣と一体に備えたものもある。
【０００８】
窓状の透光部は、上記作業服における上衣の少なくとも片方の袖口（近傍を含む、以下同じ。）、又は両方の袖口に設けるが、応用例として袖口の近傍の窓状透光部に加えて、又は、袖口とは別に、前記作業服における下衣（ズボン側）における腰部の前または後など、大腿部の前又は後など、或はフードの側面など所要の部位に設けることができる。
【考案の効果】
【０００９】
本考案覗き窓付作業服によれば、腕装着タイプの計量器等、例えば腕時計を、手袋と袖口の境界部を封止している粘着テープを取り外した上で袖捲りなどをしないで外側から覗いて確認することができるから、作業服着用時の被ばく防止の観点から極めて有用である。
【図面の簡単な説明】
【００１０】
【図１】本考案覗き窓付袖口の一例の斜視図。
【図２】本考案の透光部をフードの顔出し窓に連続した側面に設けた例の要部の拡大側面図。
【図３】図１の覗き窓付き袖口と脚筒を備えたつなぎ服タイプの作業服の一例の正面図。
【図４】図１の覗き窓付き袖口と脚筒を備えた上下分離タイプの作業服の一例の正面図。
【考案を実施するための形態】
【００１１】
図３は本考案を適用したつなぎタイプの防護服Ａの例であって、図３において、３はフード、４は顔出し用の窓穴、５，６は上衣における左右の袖、７は上衣と下衣の繋ぎ境界を含む胴部、８，９は胴部７の下端部から連続して上衣と一体形成された下衣であるズボン部の左右の脚筒、１０は上衣の前面に配置したカバー片１１で覆われたラインファスナでスライダ１０ａを備えている。
【００１２】
なお、左右両袖５，６の下端部と、ズボン部の左右脚筒８，９の下端部には、ゴムや紐又は両面テープなどを用いた絞り部５ａ，６ａ、同じく絞り部８ａ，９ａが形成されている。ズボン部の両筒８，９の下端には、着用者が履いている靴をカバーするオーバーシューズ部（図示せず）を形成することもある。
【００１３】
本考案は図３のつなぎタイプの防護服Ａに適用できるほか、図４に例示する上衣と下衣（ズボン部）に分離したツーピースタイプの作業服Ｂにも適用できる。図４において、図３と同じ部位，部材は同一符号を用いている。なお、図４において７ａは上衣における胴部７の裾部、１２はズボン部における腰ベルト部である。
【００１４】
上記のように形成された本考案を適用する防護服Ａ，Ｂを含む作業服は、形態が公知の防護服と同様であるから、公知の防護服と同様に着脱するものである。本考案では、図１，図２に例示した防護服Ａ，Ｂの袖口５ｂ，６ｂ、脚筒８，９、及びフード３に、覗き窓１や透光部２を適用したものであるから、以下に説明する。
【００１５】
図１においては、図３，図４の防護服Ａ又はＢの上衣の袖口５ｂには、四角形状又は円形状の窓を開口し、この開口部を、柔軟な透明フィルムなどによる透明シート１ａを縫着１ｂや接着などにより塞いで、覗き窓１を形成している。
【００１６】
上記覗き窓１は、図示した防護服Ａ，Ｂの両袖において少なくとも一つの袖口５ｂに設ければよいが、左右の両袖口５ｂ，６ｂに設けることが好ましい。腕時計のような腕装着型の計量器を、防護服Ａ又はＢの着用者が自身の左腕に付けるか右腕に付けるかは、当該防護服Ａ，Ｂの着用者の嗜好等によって異なるからである。
【００１７】
上記のように本考案に係る作業服では、袖口５ｂ，６ｂに覗き窓１を設けるから、装着した手袋と作業服Ａ，Ｂの袖口５ｂ，６ｂの重複した境界部が粘着テープ巻き付けで封止され袖５，６の捲り上げが出来なくても、袖５，６の中の腕時計等の表示を外部から視認できる。
【００１８】
上記袖口５ｂ，６ｂの覗き窓１は、腕時計などの計器類を外部から覗くためだけのものではなく、例えば腕装着型の計量器等の部材を外部から視認するための透光部２として設けることがある。この透光部２の例が、図３の図凡夫の脚筒８，９に設けた透光部２、或は図４のズボン部における脚筒９の大腿部に設けた透光部２である。
【００１９】
前記透光部２も、上記覗き窓１と略同様の構造を備えたものである。すなわち脚筒８，９の大腿部に四角形状や円形状の窓を開口し、この開口部に透明フィルム等による透光シール２ａを縫着２ｂなどによって塞ぐことにより、脚筒８，９に設ける透光部２の例に形成されている。
【００２０】
上記透光部２の防護服Ａ，Ｂの上での設置位置は、上記例の脚筒８，９に限られるものではなく、両袖５，６における二の腕部、或は、腰部の前，後や背中などに設けることもある。透光部２が設置されていれば透光部２に対面する着用者の身体や防護服Ａ，Ｂの中に、外部から観察したり視認したいものを装着して、防護服Ａ，Ｂの外部から前記装着したものを見ることが出来る。
【００２１】
本考案においては、防護服Ａ，Ｂのフード３の顔出し用窓穴４における左右側の外側をさらに横向きに広げた拡開部４ａを、透光シート２ａを縫着２ｂや接着によって塞ぐことにより、フード着用者の左右の視界（或は視野）を拡大するための透光部２に形成することができる。
【００２２】
本考案は以上の通りであって、放射線防護服などの上下つなぎタイプ又は上下分離タイプの作業服において、袖口付近に袖の内部が見える窓状透光部を設けたから、作業服の内側に隠れてしまい、装着したままでは視認することができない、腕装着タイプの腕時計を始めとする計器類や放射線の検出器材等を、手袋と袖口の境界部を封止している粘着テープを外した上で作業服の袖まくりなどをすることなく外部から視認することができ、従って、作業服着用時の被ばく防止を確保する上で極めて有用である。
【符号の説明】
【００２３】
Ａ，Ｂ  防護服
１  覗き窓
２  透光部
３  フード
４  顔出し窓穴
５，６  左右の袖
７  胴部
８，９  ズボン部の脚筒
【図１】
0003203586.tif 000003
【図２】
0003203586.tif 000004
【図３】
0003203586.tif 000005
【図４】
0003203586.tif 000006